(57)【要約】【課題】  圧電物質とディスプレイ部とを含むメモリカードを提供する。【解決手段】  圧電物質は、外部から加えられる圧力に応じて電圧を発生させ、ディスプレイ部は、発生した電圧を用いて情報を表示する。すなわち、情報は、如何なる付加的な装備もなしにユーザが圧電物質を押すだけでメモリカード上で表示される。【選択図】図６
2008108237.tif 000002
【特許請求の範囲】
【請求項１】
メモリカードの一部に形成された圧電物質に加えられる外部圧力に応じて電圧を発生させる段階と、
発生した電圧を用いて前記メモリカードに配されたディスプレイ部を通じて情報を表示する段階と、を含むことを特徴とするメモリカードの情報を表示する方法。
【請求項２】
前記メモリカードの情報を表示する方法は、ユーザによって指定されたモード選択によって表示される情報を選択する段階をさらに含むことを特徴とする請求項１に記載のメモリカードの情報を表示する方法。
【請求項３】
前記メモリカードの情報を表示する方法は、
前記圧電物質から発生した電荷をキャパシタに保存する段階と、
前記キャパシタの電圧がスレショルド電圧に到達する時、前記ディスプレイ部を通じて前記情報を表示する段階と、をさらに含むことを特徴とする請求項１に記載のメモリカードの情報を表示する方法。
【請求項４】
表示された前記情報は、残留メモリ容量、使用されたメモリ容量、ユーザ情報、ユーザ固有番号、または前記メモリカード固有番号のうち少なくとも一つを含むことを特徴とする請求項１に記載のメモリカードの情報を表示する方法。
【請求項５】
前記メモリカードの情報を表示する方法は、前記情報を表示する所定の時間が経った後、前記ディスプレイ部をターンオフする段階をさらに含むことを特徴とする請求項１に記載のメモリカードの情報を表示する方法。
【請求項６】
前記メモリカードの情報を表示する方法は、前記圧電物質から発生した電荷を保存するキャパシタで前記電圧を発生させる段階をさらに含み、前記キャパシタは前記所定の時間が経った後に使用されていない電荷を保持する段階をさらに含むことを特徴とする請求項５に記載のメモリカードの情報を表示する方法。
【請求項７】
前記メモリカードの情報を表示する方法は、前記メモリカードのメインメモリ装置から分離された付加的なメモリ装置に表示される前記情報を保存する段階をさらに含むことを特徴とする請求項１に記載のメモリカードの情報を表示する方法。
【請求項８】
前記付加的なメモリ装置は、前記ディスプレイ部の一部であることを特徴とする請求項７に記載のメモリカードの情報を表示する方法。
【請求項９】
前記付加的なメモリ装置は、前記ディスプレイ部と分離されたことを特徴とする請求項７に記載のメモリカードの情報を表示する方法。
【請求項１０】
前記メモリカードの情報を表示する方法は、前記メモリカードのメインメモリ装置に表示される前記情報を保存する段階をさらに含むことを特徴とする請求項１に記載のメモリカードの情報を表示する方法。
【請求項１１】
前記メモリカードの情報を表示する方法は、前記メモリカードが外部装置と接続または分離される時、前記メモリカードのメモリコントローラから前記ディスプレイ部を自動で接続または分離する段階をさらに含むことを特徴とする請求項１に記載のメモリカードの情報を表示する方法。
【請求項１２】
外部から加えられる圧力に応じて電圧を発生させる圧電物質と、
発生した前記電圧を用いて情報を表示するディスプレイ部と、を含むことを特徴とする
メモリカード。
【請求項１３】
前記メモリカードは、前記ディスプレイ部上で表示される前記情報の種類をユーザが設定できるモード選択部をさらに含むことを特徴とする請求項１２に記載のメモリカード。
【請求項１４】
前記メモリカードは、前記圧電物質から発生した電荷を保存するためのキャパシタをさらに含み、前記キャパシタの電圧がスレショルド電圧に到達した時に前記ディスプレイ部は前記情報を表示することを特徴とする請求項１２に記載のメモリカード。
【請求項１５】
表示される前記情報は、残留メモリ容量、使用されたメモリ容量、ユーザ情報、ユーザ固有番号、または前記メモリカード固有番号のうちから少なくとも一つを含むことを特徴とする請求項１２に記載のメモリカード。
【請求項１６】
前記メモリカードは、前記情報を表示する所定の時間が経った後、前記ディスプレイ部をターンオフするためのディスプレイコントローラをさらに含むことを特徴とする請求項１２に記載のメモリカード。
【請求項１７】
前記メモリカードは、前記圧電物質から発生した電荷を保存するキャパシタをさらに含み、前記ディスプレイ部は、前記キャパシタの電圧を用いて前記情報を表示し、前記キャパシタは、前記所定の時間が経った後に使用されていない電荷を保持することを特徴とする請求項１６に記載のメモリカード。
【請求項１８】
前記メモリカードは、
メインメモリ装置と、
前記メインメモリ装置から分離された付加的なメモリ装置と、をさらに含み、前記付加的なメモリ装置は表示される前記情報を保存することを特徴とする請求項１２に記載のメモリ装置。
【請求項１９】
前記付加的なメモリ装置は、前記ディスプレイ部の一部であることを特徴とする請求項１８に記載のメモリ装置。
【請求項２０】
前記付加的なメモリ装置は、前記ディスプレイ部から分離されたことを特徴とする請求項１８に記載のメモリカード。
【請求項２１】
前記メモリカードは、表示される前記情報を保存するためのメインメモリ装置をさらに含むことを特徴とする請求項１２に記載のメモリカード。
【請求項２２】
前記メモリカードは、前記メモリカードが外部装置と接続または分離される時、前記メモリカードのメモリコントローラから前記ディスプレイ部を自動で接続または分離するための少なくとも一つのスイッチ部をさらに含むことを特徴とする請求項１２に記載のメモリカード。
【発明の詳細な説明】
【技術分野】
【０００１】
本発明は、メモリカードに係り、特に、圧電効果を使って発生したエネルギーによって電源を供給される表示機能を有するメモリカードと情報表示方法とに関する。
【背景技術】
【０００２】
携帯用電子機器の登場と共に、メモリ（またはメモリ装置）のようなデータ保存装置の需要が急増した。既存のハードディスクまたはハードディスクドライブ形態ではないフラッシュＥＥＰＲＯＭのような不揮発性メモリがメインデータ保存装置として広く使われている。不揮発性メモリは、電子装置に／から着脱可能なメモリカード（例えば、スマートカード）に主に使われている。
【０００３】
メモリカードは、データを保存するためのＮＡＮＤ型またはＮＯＲ型の不揮発性メモリ、不揮発性メモリの動作を制御するためのメモリコントローラ、及び入出力インターフェースを含むインターフェースなどを含む。メモリカードは、入出力インターフェースを通じて携帯用電子機器またはパーソナル・コンピュータ（ＰＣ）に接続される。メモリカードは、電子機器の間で互換のために標準化された形態を有する。
【０００４】
また、メモリカードは、携帯用電子機器から分離されてＰＣと接続された後、アップロード／ダウンロードの形でＰＣと情報を交換する。そして、メモリカードの決められたメモリ容量がすべて使用される時には、使用可能なメモリの容量を確保するために、ＰＣまたは電子機器の操作を通じてメモリカードに保存された不要な情報を削除するか、メモリカードに保存された情報をＰＣまたは他の電子機器に保存する。
【０００５】
しかし、メモリカードの使用可能メモリ容量を確認するためには、必ずＰＣまたは電子機器にメモリカードを連結し、一定の操作を通じてメモリカードの使用可能メモリ容量を確認しなければならないという不便さがある。
【０００６】
特に、急にメモリカードのみを持って外出しなければならない場合や、ＰＣまたは携帯用電子機器を使うことができない場合、故障した場合、電源がオフされた場合には、メモリカードの残留メモリ容量（すなわち、メモリカードの使用可能メモリ容量）の確認は事実上不可能である。
【０００７】
このような不便さを解決するため、従来、メモリカードの残留メモリ容量を確認するために、メモリカードを所定の装置に連結し、この装置を通じてメモリカードの残留メモリ容量を確認できるようになっている。また、所定の装置の電源がオフされる前にメモリカードに残留メモリ容量を表示させ、電源がオフされた後にもその表示がそのまま残っているようにする方式が提案された。
【０００８】
しかし、前者の場合には、残留メモリ容量を確認するために相変らず追加的な装備が必要である。後者の場合にも、ユーザの選択ではなく無条件的に残留メモリ容量が表示されるので、残留メモリ容量を必要時にのみ表示することを希望するユーザからそっぽを向かれるか、追加的な装備を要するので非効率的である。
【発明の開示】
【発明が解決しようとする課題】
【０００９】
本発明は、前記のような従来技術の問題点を解決するために提案されたものであって、ユーザの簡単な操作を通じてメモリカードの残留メモリ容量またはその他の情報のうち少なくとも一つを表示できるメモリカードとその表示方法とを提供することを目的とする。
【課題を解決するための手段】
【００１０】
前記技術的課題を果たすためのメモリカードの情報を表示する方法は、メモリカードの一部に形成された圧電物質に加えられる外部圧力に応じて電圧を発生させる段階と、発生した電圧を用いて前記メモリカードに配されたディスプレイ部を通じて情報を表示する段階と、を含む。
【００１１】
前記メモリカードの情報を表示する方法は、ユーザによって指定されたモード選択によって表示される情報を選択する段階をさらに含む。前記メモリカードの情報を表示する方法は、前記圧電物質から発生した電荷をキャパシタに保存する段階と、前記キャパシタの電圧がスレショルド電圧に到達する時に前記ディスプレイ部を通じて前記情報を表示する段階と、をさらに含む。
【００１２】
表示された前記情報は、残留メモリ容量、使用されたメモリ容量、ユーザ情報、ユーザ固有番号、または前記メモリカード固有番号のうち少なくとも一つを含む。前記メモリカードの情報を表示する方法は、前記情報を表示する所定の時間が経った後、前記ディスプレイ部をターンオフする段階をさらに含む。前記メモリカードの情報を表示する方法は、前記圧電物質から発生した電荷を保存するキャパシタで前記電圧を発生させる段階をさらに含み、前記キャパシタは、前記所定の時間が経った後に使用されていない電荷を保持する段階をさらに含む。
【００１３】
前記メモリカードの情報を表示する方法は、前記メモリカードのメインメモリ装置から分離された付加的なメモリ装置に表示される前記情報を保存する段階をさらに含む。前記付加的なメモリ装置は、前記ディスプレイ部の一部である。前記付加的なメモリ装置は、前記ディスプレイ部と分離される。前記メモリカードの情報を表示する方法は、前記メモリカードのメインメモリ装置に表示される前記情報を保存する段階をさらに含む。
前記メモリカードの情報を表示する方法は、前記メモリカードが外部装置と接続／分離される時、前記メモリカードのメモリコントローラから前記ディスプレイ部を自動で接続／分離する段階をさらに含む。
【００１４】
前記技術的課題を果たすためのメモリカードは、外部から加えられる圧力に応じて電圧を発生させる圧電物質と、発生した前記電圧を用いて情報を表示するディスプレイ部とを含む。前記メモリカードは、前記ディスプレイ部上で表示される前記情報の種類をユーザが設定できるモード選択部をさらに含む。前記メモリカードは、前記圧電物質から発生した電荷を保存するためのキャパシタをさらに含み、前記キャパシタの電圧がスレショルド電圧に到達した時に前記ディスプレイ部は前記情報を表示する。
【００１５】
表示される前記情報は、残留メモリ容量、使用されたメモリ容量、ユーザ情報、ユーザ固有番号、または前記メモリカード固有番号のうちから少なくとも一つを含む。前記メモリカードは、前記情報を表示する所定の時間が経った後、前記ディスプレイ部をターンオフするためのディスプレイコントローラをさらに含む。前記メモリカードは、前記圧電物質から発生した電荷を保存するキャパシタをさらに含み、前記ディスプレイ部は、前記キャパシタの電圧を用いて前記情報を表示し、前記キャパシタは、前記所定の時間が経った後に使われていない電荷を維持する。
【００１６】
前記メモリカードは、メインメモリ装置と、前記メインメモリ装置から分離された付加的なメモリ装置とをさらに含み、前記付加的なメモリ装置は表示される前記情報を保存する。前記付加的なメモリ装置は、前記ディスプレイ部の一部分である。前記付加的なメモリ装置は、前記ディスプレイ部から分離される。
【００１７】
前記メモリカードは、表示される前記情報を保存するためのメインメモリ装置をさらに含む。前記メモリカードは、前記メモリカードが外部装置と接続／分離される時、前記メモリカードのメモリコントローラから前記ディスプレイ部を自動で接続／分離するための少なくとも一つのスイッチ部をさらに含む。
【発明の効果】
【００１８】
前述したように、メモリカードに関連した情報は、如何なる付加的な装置も使わず、圧電物質を押すユーザの選択によって前記メモリカードで表示される。
また、本発明の実施形態によるメモリカードは、簡単な構成要素の追加を通じて、供給電源がない場合にも、ユーザの選択によって前記メモリカードで生成した自己電源を用いて使用されたメモリ容量、残留メモリ容量、またはユーザ情報を含むその他の情報などユーザが必要とする最小限の情報を表示できる。したがって、本発明の実施形態によるメモリカードの製品の競争力は大きく向上する。
【発明を実施するための最良の形態】
【００１９】
以下、添付した図面を参照して、本発明を詳しく説明する。
図１は、本発明の実施形態によって情報を表示できるメモリカードで使われる圧電物質６７の模式図である。力や圧力が圧電物質６７に加えられる時、機械的ストレスが圧電物質６７を通じて発生し、その後に電圧が発生する。
【００２０】
一方、電圧が圧電物質６７に供給されれば、圧電物質６７は正極方向に沿って収縮または膨脹する。圧電物質６７のこのような特性は、圧電効果（Ｐｉｅｚｏ  Ｅｆｆｅｃｔ）と呼ばれる。圧電効果は、機械的な変化を電気的な変化に変えることができ、反対に電気的な変化を機械的な変化に変えることもできる。圧電物質の例として、水晶、ロシェル塩、またはチタン酸バリウムのような結晶を含む。
【００２１】
図６は、本発明の実施形態によって情報を表示できるメモリカード６００のブロック図である。メモリカード６００は、デジタルカメラ、携帯用ゲーム機器、カムコーダ、携帯電話、ＴＶ、またはプリンタに至るまで多様な電子機器で使われうるメモリカード（例えば、ＳＤ（Ｓｅｃｕｒｅ  Ｄｉｇｉｔａｌ）カード、ＭＭＣ（Ｍｕｌｔｉ−Ｍｅｄｉａ  ｃａｒｄ）、メモリスティック、コンパクトフラッシュ（登録商標）、ｘＤ−ピクチャーカード、及びスマートメディア（登録商標）になり得る。
【００２２】
図６を参照すれば、メモリカード６００は、メインメモリ装置６５と、メインメモリ装置６５の動作を制御できるメモリコントローラ６６とを含む。
メインメモリ装置６５は、フラッシュＥＥＰＲＯＭであってもよく、メモリカード６００と関連した典型的なメモリ機能を有する。また、メモリカード６００は、ディスプレイ部６１を含み、ディスプレイ部６１は、ディスプレイ部６１上で表示される情報を保存するための付加的なメモリ装置６０を含む。前記メモリカード６００は、ディスプレイ部６１の動作を制御するためのディスプレイコントローラ６２、及びユーザによって設定されるモード選択部６８をさらに含む。
【００２３】
ユーザは、ディスプレイ部６１によって表示される情報の形態を指定（または選択）するために、複数のスイッチによって、またはコードをその中にプログラムすることによって、モード選択部６８のモードを設定できる。例えば、ディスプレイ部６１によって表示されるこのような情報は、メインメモリ装置６５の残留メモリ容量及び／または使用されたメモリ容量、ユーザ情報、ユーザ固有番号、及びメモリカード固有番号のうち少なくとも一つを含む。
【００２４】
メモリカード６００は、ディスプレイ部６１上に情報を表示するための複数の構成要素６１、６２、及び６４によって使用されるエネルギーを発生させるために、圧電電圧発生部６３を含む。圧電電圧発生部６３は、圧電物質６７と圧電物質６７の両端に接続されたキャパシタＣ１とを含む。本発明によるメモリカード６００は、キャパシタＣ１を含んで具現されることもあり、含まないで具現されることもある。
【００２５】
また、メモリカード６００は、ディスプレイコントローラ６２とメモリコントローラ６６との間に接続されたスイッチ部６４をさらに含みうる。本発明によるメモリカード６００は、スイッチ部６４なしで具現されることもある。
【００２６】
図２は、情報を表示するための図６のメモリカード６００、図７のメモリカード７００、及び図８のメモリカード８００の動作の段階を表すフローチャートである。以下、図６に図示されたメモリカード６００の動作を説明する。
【００２７】
図２と図６を参照すると、ユーザがメインメモリ装置６５の残留メモリ容量のようなメモリカード６００についての情報の確認を所望する場合、ユーザは圧電物質６７に圧力を加える。圧電物質６７に加えられた圧力がスレショルド圧力Ｐ＿ｔｈより大きい時、圧電物質６７では電圧が発生する（図２のＳ２０１段階とＳ２０２段階）。
【００２８】
しかし、圧電物質６７に加えられた圧力がスレショルド圧力Ｐ＿ｔｈより大きくない時、圧電物質６７は十分な圧力が印加されるまで電圧を発生しない。このようなスレショルド圧力Ｐ＿ｔｈは、メモリカード６００を財布に入れた時のように、情報の表示を所望しない場合に発生した低い圧力が圧電物質６７に印加されるときにはディスプレイ部６１が動作しないように保証する。
【００２９】
そして、このようなスレショルド圧力Ｐ＿ｔｈは、相異なる多様な情報の表示を許容できる。例えば、メモリカード６００を紛失した場合に、ユーザの電話番号または顧客番号などの既定の多様な種類の情報は、メモリカード６００に加えられた適当な圧力によって各々表示されうる。
【００３０】
相異なる多様な種類の情報（例えば、使用されたメモリ容量、残留メモリ容量、ユーザ情報、ユーザの電話番号、及び顧客番号）は、加えられる圧力の程度によって前記ディスプレイ部６１で表示されうる。
【００３１】
加えられた圧力がスレショルド圧力Ｐ＿ｔｈより大きい時、圧電物質６７によって発生した電圧は、電圧によって発生した電荷を保存するキャパシタＣ１に供給される。キャパシタＣ１と圧電物質６７の電圧がスレショルド電圧Ｖ＿ｔｈより大きい時（図２のＳ２０３段階）、メモリカード６００に関連した情報はディスプレイ部６１で表示される（図２のＳ２０４段階）。
【００３２】
圧電物質６７に発生した電圧がスレショルド電圧Ｖ＿ｔｈより大きくない場合、キャパシタＣ１は、圧電物質６７によって発生した電荷を保存する。
キャパシタＣ１で発生した電圧がスレショルド電圧Ｖ＿ｔｈより大きい場合、キャパシタＣ１で発生した電圧は、ディスプレイ部６１、ディスプレイコントローラ６２、及びスイッチ部６４に印加される。
【００３３】
このような供給電圧がスレショルド電圧Ｖ＿ｔｈより大きい時、ディスプレイコントローラ６２は、メモリカード６００に関連した情報を表示するためにディスプレイ部６１を制御する（図２のＳ２０４段階）。
【００３４】
本発明の実施形態で、ディスプレイコントローラ６２は、モード選択部６８で指定された情報の種類を表示するためにディスプレイ部６１を制御する。ユーザによって指定された情報の種類は、メインメモリ装置６５の残留メモリ容量及び／または使用されたメモリ容量、またはユーザ情報のうち少なくとも一つを含む。ユーザ情報は、ユーザ連絡情報、ユーザ固有番号、またはメモリカード固有番号のうち少なくとも一つを含む。
【００３５】
モード選択部６８は、メモリカード６００の表面に配された複数のスイッチを含みうる。ユーザは、表示される情報の種類を指定するために複数のスイッチを設定できる。表示される情報は、ディスプレイ部６１の一部として含まれた付加的なメモリ装置６０に保存される。付加的なメモリ装置６０は、フラッシュＥＥＰＲＯＭとして具現可能である。
【００３６】
ディスプレイコントローラ６２は、所定の時間の間に指定された情報を表示するディスプレイ部６１を制御し、その後に電力消耗を減らすためにディスプレイ部６１をターンオフする（図２のＳ２０５段階）。選択的に、キャパシタＣ１で発生した電圧がスレショルド電圧Ｖ＿ｔｈより小さくなるまで、ディスプレイコントローラ６２は指定された（または特別な）情報を表示するディスプレイ部６１を制御する。
【００３７】
本発明の実施形態で、ディスプレイ部６１は、ＴＦＴ−ＬＣＤ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、またはＯＬＥＤ（Ｏｒｇａｎｉｃ  Ｌｉｇｈｔ  Ｅｍｉｔｔｉｎｇ  Ｄｉｏｄｅ）のような平板ディスプレイ装置を含む。この場合、ディスプレイ部６１は、モード選択部６８で指定された情報及び／または付加的なメモリ装置６０に保存された情報を視覚的に表示できる。
【００３８】
選択的に、ディスプレイ部６１は、モード選択部６８で指定された情報及び／または付加的なメモリ装置６０に保存された情報を聴覚的に表示できるように、ディスプレイ部６１と通信するスピーカのような音声装置を含みうる。
ディスプレイ部６１で情報を表示する所定の時間後に、キャパシタＣ１は、情報を表示した後に残っている電荷を保存する（図２のＳ２０６段階）。その後に、図２に図示されたフローチャートは、圧電物質６７にユーザによって加えられる他の圧力を監視するためにＳ２０１段階に戻る。
【００３９】
キャパシタＣ１は、キャパシタＣ１で発生した電圧をブースティングするために受信された光に応答して付加的な電荷をさらに発生しうる。このようなキャパシタＣ１は、圧電物質６７に加えられた圧力から発生した電圧のみではディスプレイ部６１とディスプレイコントローラ６２とを駆動するのに不十分な場合に有利である。
【００４０】
図６を参照すると、メモリカード６００は、ディスプレイコントローラ６２とメモリコントローラ６６との間の接続を制御するためのスイッチ部６４をさらに含む。
スイッチ部６４は、本発明の実施形態によるキャパシタＣ１で発生した電圧によって制御される。メモリカード６００が外部装置６９に接続される時、スイッチ部６４は、外部装置６９から供給された電圧によって制御される。例えば、メモリカード６００が正常なメモリカード動作を行うために外部装置６９に接続される時、スイッチ部６４は、メモリコントローラ６６からディスプレイ部６１を分離させるために自動的にオープンされる。
【００４１】
したがって、不要な電力消耗などのこうした表示機能の短所を避けるために、正常なメモリカード動作が行われる間、複数の構成要素６１と６２とによる表示機能は外部装置６９から分離される。
【００４２】
選択的に、メモリカード６００が外部装置６９に接続される時、スイッチ部６４は自動的にクローズされ、メモリカード６００が外部装置６９から分離される時、スイッチ部６４は自動的にオープンされうる。この場合、表示機能を提供するためにディスプレイ部６１とディスプレイコントローラ６２は、外部装置６９から発生した電圧を利用し、圧電電圧発生部６３から発生した電圧を使用（または要求）しない。
【００４３】
また、メモリカード６００が外部装置６９に接続される時、スイッチ部６４はクローズされ、ユーザはＰＣまたは携帯用電子装置のような外部装置６９を通じて表示される情報を付加的なメモリ装置６０にプログラムできる。この場合、ディスプレイコントローラ６２は、このような指定された（または特別な）情報を付加的なメモリ装置６０の既定の位置に保存できる。この場合、付加的なメモリ装置６０は、ユーザ電話番号、ユーザ固有番号、カード固有番号、残留メモリ容量のような特別な情報を各々保存するための既定の複数の領域を含みうる。
【００４４】
例えば、メモリカード６００を紛失した時、ユーザ電話番号は、メモリカードの持ち主を追跡するために使われうる。メモリカード６００の発見者が、モード選択部６８の複数のスイッチをユーザ情報モードに設定して圧電物質６７を押す時、ディスプレイ部６１は、メモリカード６００の元の持ち主の電話番号を表示する。
【００４５】
選択的に、スイッチ６４は、メモリカード６００が外部装置６９と接続されるか、または分離される時にスイッチされずにクローズ状態を維持し、ユーザが圧電物質６７を押した後、十分な電圧が発生する時に自動的にオープンされることもある。この場合、メモリカード６００の正常動作の間にユーザが圧電物質６７を押さない時、メモリコントローラ６６または外部装置６９は、ディスプレイコントローラ６２を通じてディスプレイ部６１を制御できる。
【００４６】
図６で、ディスプレイ部６１で表示される情報を保存する付加的なメモリ装置６０は、相対的に低い電力が消耗されるようにディスプレイ部６１の一部に形成されうる。
【００４７】
図７は、本発明の他の実施形態によるメモリカードのブロック図である。図７を参照すると、メモリカード７００は、ディスプレイ部７１、ディスプレイコントローラ７２、圧電物質７７とキャパシタＣ２とを含む圧電電圧発生部７３、モード選択部７８、メインメモリ装置７５、メモリコントローラ７６、及びスイッチ部７４を含む。このような複数の構成要素は、図２に図示されたフローチャートによってメモリカード７００に関連した情報を表示するために図６に図示された同じ名称を有する複数の構成要素と類似した動作をする。
【００４８】
しかし、図７において、ディスプレイ部７１で表示される情報は付加的なメモリ装置に保存されるものではなく、メインメモリ装置７５に保存される。図７で、メインメモリ装置７５に保存された情報がメモリコントローラ７６を通じて回復される時、メインメモリ装置７５とメモリコントローラ７６は、圧力が加えられた圧電物質７７によってキャパシタＣ２で発生した電圧によって電力を供給される。
【００４９】
選択的に、メインメモリ装置７５に保存された情報は、ディスプレイコントローラ７２によってメインメモリ装置７５から直接的に回復されうる。この場合、ディスプレイコントローラ７２は、スイッチ部７４を通じてメインメモリ装置７５と接続される。したがって、メモリコントローラ７６は、バイパスされる。このような実施形態で、メモリコントローラ７６は、圧電電圧発生部７３によって電力を供給されないので電力を保存できる。
【００５０】
図７のスイッチ部７４は、キャパシタＣ２によって発生した電圧によって制御される。また、スイッチ部７４は、メモリカード７００と接続された外部装置６９によって発生した電圧によって制御される。この場合、メモリカード７００が正常なメモリカード動作を行うために外部装置６９と接続される時、スイッチ部７４は、メモリコントローラ７６からディスプレイ部７１を分離させるためにオープンされる。したがって、不要な電力消耗などのこうした表示機能の短所を避けるために、正常なメモリカード動作が行われる間、複数の構成要素７１と７２とによる表示機能は、外部装置６９から分離される。
【００５１】
選択的に、メモリカード７００が外部装置６９に接続される時、スイッチ部７４は自動的にクローズされ、メモリカード７００が外部装置６９から分離される時、スイッチ部７４は自動的にオープンされうる。この場合、表示機能を提供するために、ディスプレイ部７１とディスプレイコントローラ７２は、接続された外部装置６９から発生した電圧を利用し、圧電電圧発生部７３から発生した電圧を使用（または要求）しない。
【００５２】
また、メモリカード７００が外部装置６９に接続される時、ユーザは、ＰＣまたは携帯用電子装置のような外部装置６９を通じて表示される情報をメインメモリ装置７５にプログラムできる。この場合、メモリコントローラ７６は、このような特別な情報をメインメモリ装置７５の既定の位置に保存できる。
【００５３】
メインメモリ装置７５は、ユーザ電話番号、ユーザ固有番号、カード固有番号、残留メモリ容量のような特別な情報を各々保存するための既定の複数の領域を含みうる。
選択的に、スイッチ７４は、メモリカード７００が外部装置６９と接続されるか、または分離される時にスイッチされずにオープン状態を維持し、ユーザが圧電物質７７を押した後に十分な電圧が発生する時に自動的にクローズされることもある。この場合、ユーザがキャパシタＣ２で十分な電圧が発生するように圧電物質７７を押す時、ディスプレイ部７１は、メインメモリ装置７５に保存された情報を表示できる。
【００５４】
図８は、本発明の他の実施形態によるメモリカード８００のブロック図である。図８を参照すれば、メモリカード８００は、メインメモリ装置８７から分離された付加的なメモリ装置８５を含み、付加的なメモリ装置８５は、ディスプレイ部８１で表示される情報を保存する。メモリカード８００は、ディスプレイコントローラ８２、圧電物質９１とキャパシタＣ３とを含む圧電電圧発生部８３、モード選択部９２、及びメモリコントローラ８８を含む。このような複数の構成要素は、図２に図示されたフローチャートによってメモリカード８００に関連した情報を表示するために図６に図示された同じ名称を有する複数の構成要素と類似した動作をする。
【００５５】
しかし、図８において、表示される情報を保存するための付加的なメモリ装置８５は、ディスプレイ部８１から分離される。すなわち、付加的なメモリ装置８５は、ディスプレイコントローラ８２またはメインメモリコントローラ８８によって制御される。
【００５６】
メモリカード８００は、第１スイッチ部８４と第２スイッチ部８６とを含む。第１スイッチ部８４は、ディスプレイコントローラ８２と付加的なメモリ装置８５との間の接続をスイッチする。第２スイッチ部８６は、付加的なメモリ装置８５とメモリコントローラ８８との間の接続をスイッチする。
【００５７】
必要であれば、キャパシタＣ３の電圧は、ディスプレイ部８１、ディスプレイコントローラ８２、第１スイッチ部８４、第２スイッチ部８６、付加的なメモリ装置８５、及びメモリコントローラ８８に供給される。
【００５８】
メモリカード８００が正常なメモリカード動作を行うために外部装置６９に接続される時、第２スイッチ部８６は、メモリコントローラ８８から付加的なメモリ装置８５を分離するためにオープンされる。したがって、必要な電力消耗などのこうした表示機能の短所を避けるために、正常なメモリカード動作が行われる間、表示機能を提供するためのディスプレイ部８１とディスプレイコントローラ８２は、外部装置６９と分離される。
【００５９】
また、正常なメモリカード動作が行われる間、メモリコントローラ８８は、クローズされた第２スイッチ部８６を通じて付加的なメモリ装置８５に情報を保存する。第１スイッチ部８４は、ディスプレイコントローラ８２から付加的なメモリ装置８５を分離する動作を行われる間、オープンされる。すなわち、第１及び第２スイッチ部８４及び８６は、別々にクローズとオープンされるように制御されうる。選択的に、第１及び第２スイッチ部８４及び８６は、共にクローズとオープンされるように制御されうる。
【００６０】
更に、メモリカード８００が外部装置６９から分離される時、第２スイッチ部８６は自動的にオープンされ、メモリカード８００が外部装置６９に接続される時、第２スイッチ部８６は自動的にクローズされうる。この場合、第１スイッチ部８４は常にクローズ状態を維持することができ、第２スイッチ部８６と類似してスイッチされうる。すなわち、ディスプレイ機能を提供するために、ディスプレイ部８１とディスプレイコントローラ８２は、接続された外部装置６９から発生した電圧を利用し、圧電電圧発生部８３から発生した電圧を要求しない。
【００６１】
この場合、メモリカード８００が外部装置６９に接続される時、第２スイッチ部８６はクローズされ、ユーザはＰＣまたは携帯用電子装置のような外部装置６９を通じて、表示される情報を付加的なメモリ装置８５にプログラムできる。この場合、メモリコントローラ８８は、このような特別な情報を付加的なメモリ装置８５の既定の位置に保存できる。
【００６２】
選択的に、第１スイッチ部８４と第２スイッチ部８６は、メモリカード８００が外部装置６９に接続される時にスイッチされずにクローズ状態を維持し、第２スイッチ部８６は、ユーザが圧電物質９１を押してキャパシタＣ３に十分な電圧が発生する時に自動的にオープンされる。この場合、ユーザが圧電物質９１を押さないメモリカード８００の正常な動作の間、メモリコントローラ８８または外部装置６９は、ディスプレイコントローラ８２を通じてディスプレイ部８１を制御できる。
【００６３】
図３（ａ）、図３（ｂ）、図３（ｃ）、及び図３（ｄ）は、メモリカードに配されたディスプレイ部Ｄと圧電物質Ｐとを含むメモリカードの平面図である。ディスプレイ部Ｄは、図６のディスプレイ部６１、図７のディスプレイ部７１、または図８のディスプレイ部８１であり、圧電物質は、図６の圧電物質６７、図７の圧電物質７７、または図８の圧電物質９１である。図３（ａ）乃至図３（ｄ）で、ディスプレイ部Ｄのディスプレイ窓は、メモリカードの上部に位置する。しかし、本発明の実施形態によっては、ディスプレイ窓の位置は、メモリカードのどの部分でも良い。
【００６４】
図３（ａ）は、メモリカードの上部で同一の位置に位置するディスプレイ窓Ｄと圧電物質Ｐとを表す。圧電物質Ｐとして水晶が使われる場合、水晶の透明な性質は、水晶をディスプレイ窓Ｄとして同時に使っても良い。この場合、ユーザがディスプレイ窓Ｄを押せば、その位置で必要な情報（例えば、使用されたメモリ容量、残留メモリ容量、またはユーザ情報など）をすぐ確認できる。
【００６５】
図３（ｂ）は、メモリカードの上部に位置するディスプレイ窓Ｄとメモリカードの残り部分に位置する圧電物質Ｐとを表す。図３（ｃ）は、メモリカードの上部に位置するディスプレイ窓Ｄとメモリカードの中央部分のみに位置する圧電物質Ｐとを表す。図３（ｄ）は、メモリカードの上部に位置するディスプレイ窓Ｄとメモリカードの左側または右側に位置する圧電物質Ｐとを表す。
【００６６】
図４（ａ）、図４（ｂ）、及び図４（ｃ）は、メモリカードのディスプレイ窓で表示される情報の例を表す平面図である。
【００６７】
図４（ａ）は、連続的な棒グラフ形態で使用されたメモリ容量を表示し、図４（ｂ）は、離散的な棒グラフ形態で使用されたメモリ容量を表示する。図４（ｃ）は、数値形式で使用されたメモリ容量を表す。図４（ａ）乃至図４（ｃ）に図示されたように、表示のための各々の形態は、モード選択部６８、７８、または９２を通じてユーザによって指定されうる。
【００６８】
図５（ａ）、図５（ｂ）、及び図５（ｃ）の各々は、図４（ａ）、図４（ｂ）、及び図４（ｃ）の各々に図示された使用されたメモリ容量に対応する残留メモリ容量を表示することを表す。
【産業上の利用可能性】
【００６９】
本発明は、メモリカードに使われうる。
【図面の簡単な説明】
【００７０】
【図１】本発明の実施形態によるメモリカードで使用されて電圧を発生させうる圧電物質の模式図である。
【図２】本発明の実施形態によって情報を表示するメモリカードの動作の段階を表すフローチャートである。
【図３】（ａ）乃至（ｄ）は本発明の実施形態によってディスプレイ部と圧電物質との位置の例を図示したメモリカードの平面図である。
【図４】（ａ）乃至（ｃ）は本発明の実施形態によって使用されたメモリ容量を表示するためのディスプレイ部の例を図示した平面図である。
【図５】（ａ）乃至（ｃ）は本発明の実施形態によって残留メモリ容量を表示するためのディスプレイ部の例を図示した平面図である。
【図６】本発明の実施形態によるディスプレイ部の一部であって、表示される情報を保存する付加的なメモリ装置を含むメモリカードのブロック図である。
【図７】本発明の他の実施形態によるメインメモリ装置に表示される情報を保存するメモリカードのブロック図である。
【図８】本発明の他の実施形態によるディスプレイ部と分離され、表示される情報を保存する付加的なメモリ装置を含むメモリカードのブロック図である。
【符号の説明】
【００７１】
６０：付加的なメモリ装置
６１、７１、８１：ディスプレイ部
６２、７２、８２：ディスプレイコントローラ
６３、７３、８３：圧電電圧発生部
６７、７７、９１：圧電物質
６８：モード選択部
６５、７５、８７：メインメモリ装置
【図１】
2008108237.tif 000003
【図２】
2008108237.tif 000004
【図３】
2008108237.tif 000005
【図４】
2008108237.tif 000006
【図５】
2008108237.tif 000007
【図６】
2008108237.tif 000008
【図７】
2008108237.tif 000009
【図８】
2008108237.tif 000010